(57)【要約】【課題】正極側と負極側の短絡を好適に抑制できるブラシの保持構造を提供することにある。【解決手段】複数の正極側及び負極側のブラシ２０を周方向に交互に並べた状態で保持するブラシ保持構造３０であって、回転子１２の軸方向にブラシ２０を挟み込む状態で対向配置される正極側プレート４０及び負極側プレート５０を備え、周方向に並ぶ正極側及び負極側の前記各ブラシ２０の間において、正極側ブラシ２０Ａから延びるピグテール２２が正極側プレート４０に接続されるとともに、負極側ブラシ２０Ｂから延びるピグテール２２が負極側プレート５０に接続されており、正極側プレート４０及び負極側プレート５０の少なくともいずれかにおいて、各ブラシ２０の間となる側に折り曲げられ、かつ同じ極性のピグテール２２に周方向に並ぶように設けられ、ピグテール２２が逆極性のブラシ２０と接触するのを抑制する接触抑制部４５,５１が設けられている。【選択図】      図４
2019154096.tif 000002
【特許請求の範囲】
【請求項１】
回転子（１２）と同軸に設けられるコンミュテータ（１３）の外周に配置され、複数の正極側及び負極側のブラシ（２０）を周方向に交互に並べた状態で保持する直流モータ（１０）のブラシ保持構造（３０）であって、
前記回転子の軸方向に前記ブラシを挟み込む状態で対向配置される正極側プレート（４０）及び負極側プレート（５０）を備え、
周方向に並ぶ正極側及び負極側の前記各ブラシの間において、前記正極側のブラシから延びるピグテール（２２）が前記正極側プレートに接続されるとともに、前記負極側のブラシから延びるピグテール（２２）が前記負極側プレートに接続されており、
前記正極側プレート及び前記負極側プレートの少なくともいずれかにおいて、前記各ブラシの間となる側に折り曲げられ、かつ同じ極性の前記ピグテールに周方向に並ぶように設けられ、当該ピグテールが逆極性の前記ブラシと接触するのを抑制する接触抑制部（４５，５１）を備えるブラシ保持構造。
【請求項２】
前記正極側プレート及び前記負極側プレートの間において前記ブラシごとに設けられ、当該ブラシを収容する絶縁性の収容部（６０）を備え、
前記収容部には、周方向における両側面部に、前記ピグテールを引き出し可能とする開口部（６３）が設けられており、
前記両側面部における前記開口部のうち前記ピグテールが引き出されていない方の前記開口部の外側に、当該開口部の少なくとも一部を覆うようにして前記接触抑制部が設けられている請求項１に記載のブラシ保持構造。
【請求項３】
前記正極側プレート及び前記負極側プレートの間において前記ブラシごとに設けられ、当該ブラシを収容する絶縁性の収容部（６０）を備え、
前記収容部には、周方向における両側面部に、前記ピグテールを引き出し可能とする開口部（６３）が設けられており、
前記正極側プレート及び前記負極側プレートの少なくとも一方には、前記収容部の周方向両側に起立して当該収容部を挟む一対の起立部（１５１，１５３）が設けられ、
前記一対の起立部のうち一方の起立部（１５１）が前記接触抑制部となっている請求項１に記載のブラシ保持構造。
【請求項４】
前記一対の起立部は、挟み込まれた前記収容部に収容されている前記ブラシと逆極性であり、
前記一対の起立部のうち前記接触抑制部である一方の起立部が、前記開口部の一部を塞ぐ大きさを有し、
他方の起立部（１５３）が、前記開口部を塞がない大きさを有する請求項３に記載のブラシ保持構造。
【請求項５】
前記接触抑制部は、前記開口部の正面視において前記軸方向の開口寸法及び前記軸方向に直交する方向の開口寸法が前記ピグテールの太さよりも狭くなるようにして、前記開口部に重複させて設けられている請求項２から請求項４のいずれか一項に記載のブラシ保持構造。
【発明の詳細な説明】
【技術分野】
【０００１】
本発明は、直流モータに用いられるブラシを保持するためのブラシ保持構造に関するものである。
【背景技術】
【０００２】
例えば、スタータに用いられる直流モータにおいて、軸方向に正極側プレート及び負極側プレートを対向配置するとともに、それら両プレートの間に、周方向に並べて正極側ブラシ及び負極側ブラシを配置した技術が提案されている（例えば、特許文献１）。かかる技術では、ブラシから周方向にピグテールを引き出し、そのピグテールを正極側プレート又は負極側プレートに接続するようにしている。
【先行技術文献】
【特許文献】
【０００３】
【特許文献１】特開２０１７−１７９２４号公報
【発明の概要】
【発明が解決しようとする課題】
【０００４】
しかしながら、上記技術では、ブラシから周方向にピグテールが引き出されているため、小型化を図るべくブラシ間の周方向の離間距離を小さくした場合に、ピグテールが、隣のブラシ、すなわち逆極性のブラシに接触することが懸念される。
【０００５】
また、アイドリングストップに使用される長寿命が必要なスタータでは、各ブラシに流れる電流量を抑制して、ブラシの摩耗を抑制するために、正極側ブラシ及び負極側ブラシの組数を増やすことが考えられている。この場合には、周方向におけるブラシ同士の離間距離が小さくなり、ピグテールが、隣のブラシ、すなわち逆極性のブラシに接触することが懸念される。
【０００６】
本発明は、上記課題に鑑みてなされたものであり、その主たる目的は、正極側と負極側の短絡を好適に抑制できるブラシの保持構造を提供することにある。
【課題を解決するための手段】
【０００７】
第１の手段は、回転子（１２）と同軸に設けられるコンミュテータ（１３）の外周に配置され、複数の正極側及び負極側のブラシ（２０）を周方向に交互に並べた状態で保持する直流モータ（１０）のブラシ保持構造（３０）であって、前記回転子の軸方向に前記ブラシを挟み込む状態で対向配置される正極側プレート（４０）及び負極側プレート（５０）を備え、周方向に並ぶ正極側及び負極側の前記各ブラシの間において、前記正極側のブラシから延びるピグテール（２２）が前記正極側プレートに接続されるとともに、前記負極側のブラシから延びるピグテール（２２）が前記負極側プレートに接続されており、前記正極側プレート及び前記負極側プレートの少なくともいずれかにおいて、前記各ブラシの間となる側に折り曲げられ、かつ同じ極性の前記ピグテールに周方向に並ぶように設けられ、当該ピグテールが逆極性の前記ブラシと接触するのを抑制する接触抑制部（４５，５１）を備える。
【０００８】
正極側のブラシと負極側のブラシとが周方向に交互に並んでおり、それぞれのブラシのピグテールが正極側プレートと、負極側プレートとに接続されている。そして、正極側プレートと負極側プレートとがブラシを軸方向に挟み込むようにして、対向する位置に配置されている。そして、正極側プレート及び負極側プレートのうち少なくともいずれかにおいて、その一部を各ブラシの間となる側に折り曲げられ、かつ同じ極性のピグテールに周方向に並ぶように設けられている接触抑制部を備えている。このようにピグテールと同じ極性の接触抑制部を備えることで、ブラシ同士の周方向の離間距離が小さくなっても、逆極性のピグテールがブラシに触れることを抑制することができる。
【０００９】
第２の手段は、前記正極側プレート及び前記負極側プレートの間において前記ブラシごとに設けられ、当該、前記各ブラシを収容する絶縁性の収容部（６０）を複数備え、前記収容部には、周方向における両側面部に、前記ピグテールを引き出し可能とする開口部（６３）が設けられており、前記両側面部における前記開口部のうち前記ピグテールが引き出されていない方の前記開口部の外側に、当該開口部の少なくとも一部を覆うようにして前記接触抑制部が設けられている。
【００１０】
ピグテールとブラシとの接触を防ぐために、絶縁性の収容部にブラシが収容されている。そして、収容部を左回転と右回転のモータに共用可能なように、収容部の周方向の両側面部にピグテールを引き出し可能とする開口部が設けられている。このように両側面部に開口部が設けられている場合には、逆極性のピグテールが開口部内に侵入してブラシと接触するおそれがある。
【００１１】
また、接触抑制部は、正極側プレート又は負極側プレートの一部を曲げ加工して設けられており、どちらかの極性を有している。そして、ブラシを収容する収容部の開口部のうちピグテールが引き出されていない方の開口部の外側に、接触抑制部が開口部の少なくとも一部を覆うようにして設けられている。ピグテールと周方向に並ぶ接触抑制部は同じ極性を有しているため、接触抑制部とピグテールとの接触による短絡のおそれもない。
【００１２】
例えば、正極性のブラシを収容する収容部に隣接するのは負極性のブラシになる。そして、負極性のブラシから引き出されたピグテールが正極性のブラシに接触するのを抑制するために、負極側プレートを折り曲げた接触抑制部が、正極性のブラシを収容する収容部の開口部のうちピグテールが引き出されていない方の開口部の外側に設けられ、接触抑制部が開口部の少なくとも一部を覆っている。このようにして、開口部の少なくとも一部を接触抑制部が覆うことで、逆極性のピグテールが開口部に侵入しブラシに触れることを抑制することができる。
【００１３】
第３の手段は、前記正極側プレート及び前記負極側プレートの間において前記ブラシごとに設けられ、当該ブラシを収容する絶縁性の収容部（６０）を備え、前記収容部には、周方向における両側面部に、前記ピグテールを引き出し可能とする開口部（６３）が設けられており、前記正極側プレート及び前記負極側プレートの少なくとも一方には、前記収容部の周方向両側に起立して当該収容部を挟む一対の起立部（１５１，１５３）が設けられ、前記一対の起立部のうち一方の起立部（１５１）が前記接触抑制部となっている。
【００１４】
一対の起立部で挟み込むことで、収容部の周方向への移動を規制することができる。また、起立部の一方が、接触抑制部となっていることで、逆極性のブラシに開口を介してピグテールが接触することを抑制できる。
【００１５】
第４の手段は、前記一対の起立部は、挟み込まれた前記収容部に収容されている前記ブラシと逆極性であり、前記一対の起立部のうち前記接触抑制部である一方の起立部が、前記開口部の一部を塞ぐ大きさを有し、他方の起立部（１５３）が、前記開口部を塞がない大きさを有する。
【００１６】
一対の起立部は、挟み込まれた収容部に収容されているブラシとは逆極性になっており、接触抑制部である一方の起立部は、隣接するブラシから引き出されるピグテールとは同極性になっている。そして、接触抑制部が開口部の少なくとも一部を塞ぐことで、逆極性のピグテールが開口部に侵入しブラシに触れることを抑制できる一方、ピグテールと接触抑制部が接触しても短絡するおそれがない。また、他方の起立部は、開口部を塞がないようになっていることで、挟み込まれた収容部から引き出されたピグテールと接触するおそれがない。
【００１７】
第５の手段は、前記接触抑制部は、前記開口部の正面視において前記軸方向の開口寸法及び前記軸方向に直交する方向の開口寸法が前記ピグテールの太さよりも狭くなるようにして、前記開口部に重複させて設けられている。
【００１８】
ピグテールの太さよりも開口部の開口寸法が狭くなるようにして接触抑制部が開口部に重複されて設けられていることで、逆属性のピグテールが開口部に侵入しブラシに触れることをより確実に抑制することができる。
【図面の簡単な説明】
【００１９】
【図１】第１実施形態における直流モータのブラシアセンブリ側の断面図
【図２】ブラシアセンブリの斜視図
【図３】ブラシの平面図
【図４】ブラシアセンブリの周方向の展開図
【図５】図４におけるＶ−Ｖ位置での断面図
【図６】図４におけるＶＩ−ＶＩ位置での断面図
【図７】第２実施形態におけるブラシアセンブリの周方向の概略展開図
【図８】負極側プレートの平面図
【発明を実施するための形態】
【００２０】
＜第１実施形態＞
以下、エンジン始動用のスタータに用いる直流モータとして具体化した構成について図面に基づいて説明する。なお、以下の各実施形態相互において、互いに同一又は均等である部分には、図中、同一符号を付しており、同一符号の部分についてはその説明を援用する。
【００２１】
スタータは、直流モータ１０に駆動されたピニオンが、エンジンのリングギアに噛み合うことで、エンジンを駆動する。なお、スタータの構造については、周知のため、その説明を省略する。
【００２２】
図１は、直流モータ１０のブラシアセンブリ３０側の断面図であって、直流モータ１０のピニオン等に接続される側とは軸方向における反対側の断面図である。直流モータ１０は、フィールドコイル１１と、フィールドコイル１１の内周に空間を有して回転自在に配置される回転子１２と、回転子１２と同軸に設けられるコンミュテータ１３と、コンミュテータ１３の外周に配置されるブラシ２０とを備えている。ブラシ２０は、ブラシアセンブリ３０において保持されている。なお、ブラシアセンブリ３０が「ブラシ保持構造」に相当する。
【００２３】
図２〜図６を用いて、ブラシアセンブリ３０の構造について説明する。図２は、ブラシアセンブリ３０の斜視図であって、回転子１２側から見た斜視図である。図３は、ブラシ２０の平面図である。図４は、ブラシアセンブリ３０の周方向の展開図であって、ブラシアセンブリ３０を外周側から見た図である。図５は、図４におけるＶ−Ｖ位置での断面図であって、図６は、図４におけるＶＩ−ＶＩ位置での断面図である。
【００２４】
図２に示すように、ブラシアセンブリ３０は、それぞれ３つずつの正極側及び負極側のブラシ２０を周方向に交互に並べて状態で保持している。なお、以下において、ブラシ２０の正極側と負極側とを区別する際には、正極側ブラシ２０Ａ及び負極側ブラシ２０Ｂと記載する。ブラシアセンブリ３０は、回転子１２の軸方向にブラシ２０を挟み込む状態で対向配置される正極側プレート４０及び負極側プレート５０と、正極側プレート４０及び負極側プレート５０の間に設けられ、各ブラシ２０を収容する絶縁性の収容部６０とを備えている。なお、ブラシ２０の数は、正極側及び負極側が複数ずつあればよく、例えば、正極側及び負極側がそれぞれ２つずつの合計４つであってもよい。
【００２５】
図３に示すように、ブラシ２０は、コンミュテータ１３の周面と接触するブラシ本体部２１と、ブラシ本体部２１から延びるピグテール２２とを有している。ブラシ本体部２１は、角柱状となっており、回転子１２との接触面２１Ａと、接触面２１Ａと直交し、ブラシアセンブリ３０の周方向の面になる側面２１Ｂとを有している。ブラシ本体部２１の側面２１Ｂからは、ピグテール２２が延びている。ピグテール２２は、導電性の接続部材であって、可撓性を有しており、その先端部に正極側プレート４０又は負極側プレート５０に接続される接続部２３を有している。
【００２６】
図２及び図５に示すように、収容部６０は、回転子１２の軸方向と直交する方向である径方向の内側に開口した箱型であって、径方向内側にブラシ２０を収容し、径方向外側にブラシスプリング６１を収容する。ブラシスプリング６１は、ブラシ２０を回転子１２に押圧している。また、収容部６０の正極側プレート４０と当接する側の面には、正極側プレート４０に嵌合する嵌合凸部６２が設けられている。
【００２７】
収容部６０には、その周方向における両側面部に、ピグテール２２を引き出し可能とする開口部６３が設けられている。両側面部に開口部６３が設けられていることで、収容部６０を左回転と右回転のモータに共用可能となっている。また、開口部６３は、収容部６０において、ブラシ２０が収容されている奥端（径方向外側）の位置から径方向内側に延びるように設けられており、ピグテール２２が引き出された状態のままで、ブラシ２０の径方向移動が可能となっている。また、開口部６３の回転子１２の軸方向の寸法Ｌ１は、ピグテール２２の太さＲ（図３参照）の１．５倍から２倍程度になっており、ピグテール２２が引き出された状態のままで、ブラシ２０が径方向に移動する妨げにならないようになっている。なお、ピグテール２２の太さＲとは、ピグテール２２を真っ直ぐにした状態でのピグテール２２の最大外形寸法である。
【００２８】
図２に示すように、正極側プレート４０及び負極側プレート５０は、所定の板厚の導電性の金属製プレートであって、径方向の中央部に回転子１２を挿通可能な丸孔が設けられた円環状となっている。正極側プレート４０及び負極側プレート５０は、回転子１２の軸方向と直交する方向に、互いに平行に配置されている。各プレート４０,５０には、各極のブラシ２０のピグテール２２が溶接等によって、電気的に接続されているとともに、機械的に固定されている。正極側プレート４０は、引き出し部材４１を介して、スタータの電磁スイッチと電気的に接続されている。一方、図１に示すように、負極側プレート５０は、エンドフレーム１４にネジなどで固定されて、エンドフレーム１４と電気的に接続されて、接地されている。
【００２９】
図２に示すように、正極側プレート４０には、収容部６０の嵌合凸部６２を組み付けるための嵌合溝４２が周方向に均等間隔に６つ設けられている。嵌合溝４２は、正極側プレート４０の径方向内側に開口して外周方向にスリット状に延びて形成されている。正極側プレート４０の嵌合溝４２が設けられているプレート部４３の間は、プレート部４３より径方向に狭い繋ぎ部４４となっている。プレート部４３は、径方向外側において、収容部６０径方向外側の位置まで至っている。プレート部４３は、径方向内側において、後記する接触抑制部４５の寸法分、収容部６０より外側に位置しており、繋ぎ部４４の内側位置と同じ位置になっている。そして、プレート部４３の嵌合溝４２が収容部６０の嵌合凸部６２に組み付けられることで、収容部６０が周方向に移動することを抑制している。また、負極側プレート５０は、収容部６０の径方向の寸法とほぼ同じ径寸法で等幅の円環状となっており、正極側プレート４０と負極側プレート５０とで収容部６０を軸方向に挟み込んでいる。
【００３０】
図２及び図４から図６に示すように、正極側プレート４０及び負極側プレート５０には、接触抑制部４５，５１が設けられている。接触抑制部４５，５１は、正極側プレート４０及び負極側プレート５０のそれぞれから各ブラシ２０（収容部６０）の間となる側に折り曲げられた状態で設けられている。接触抑制部４５，５１は、両側面部における開口部６３のうちピグテール２２が引き出されていない方の開口部６３の外側に設けられ、開口部６３の少なくとも一部を覆っている。開口部６３の外側に設けられた接触抑制部４５，５１は、開口部６３が設けられた収容部６０に収容されているブラシ２０と逆極性になっている。つまり、隣接するブラシ２０から引き出されたピグテール２２と、周方向に並ぶ接触抑制部４５，５１とは、同じ極性になっている。そして、接触抑制部４５，５１が設けられていることで、収容部６０の開口部６３を介してブラシ２０が逆極性のピグテール２２と接触することを抑制する。
【００３１】
なお、接触抑制部４５，５１によって開口部６３を覆うとは、開口部６３の正面視（収容部６０を周方向側面から見た状態）において、開口部６３の開口面積を縮小するように開口部６３に重複するように接触抑制部４５，５１を設けることを指している。つまり、接触抑制部４５，５１で開口部６３を覆っている状態とは、接触抑制部４５，５１が開口部６３を塞ぐ状態だけではなく、開口部６３と開口部６３を覆う接触抑制部４５,５１との間が離間している状態を含んでいる。
【００３２】
正極側プレート４０に設けられた正極側の接触抑制部４５は、負極側ブラシ２０Ｂを収容する収容部６０の開口部６３の径方向内側を覆っている。具体的には、接触抑制部４５は、負極側ブラシ２０Ｂを収容する収容部６０の周方向側方であってピグテール２２が引き出されている方向とは反対側に設けられている。接触抑制部４５は、収容部６０と接するプレート部４３の一部が径方向内側に延びている延出部４６を折り曲げることで形成されている。なお、接触抑制部４５と収容部６０との間には、板厚１枚分程度の隙間が設けられており、この隙間は、ピグテール２２の太さＲよりも小さい方が望ましい。このように、負極側ブラシ２０Ｂを収容する収容部６０の開口部６３の一部を正極側の接触抑制部４５が覆うことで、隣接する正極側ブラシ２０Ａから延びるピグテール２２が接触抑制部４５に接触しても同じ極性になることになる。
【００３３】
また、接触抑制部４５は、ピグテール２２の太さＲよりも開口部６３の開口寸法Ｌ２，Ｌ３が狭くなるように覆っている。ここで、開口寸法Ｌ２とは、開口部６３を接触抑制部４５によって覆った状態における開口部６３の孔縁と接触抑制部４５との間の軸方向の寸法を示しており、開口部６３の軸方向の寸法Ｌ１よりも小さくなっている。また、開口寸法Ｌ３とは、開口部６３を接触抑制部４５によって覆った状態における開口部６３の孔縁と接触抑制部４５との間の径方向の寸法（軸方向と直交する方向の寸法）を示している。接触抑制部４５が、ピグテール２２の太さＲよりも開口部６３の開口寸法Ｌ２，Ｌ３が狭くなるように覆うことで、ピグテール２２が開口部６３内に侵入することを抑制できる。なお、接触抑制部４５は、径方向内側の位置に設けられている方が、収容部６０から突出しているブラシ２０への接触も防止しやすくなり好ましいが、径方向の中央位置等他の位置に設けられていてもよい。
【００３４】
負極側プレート５０に設けられた負極側の接触抑制部５１は、正極側ブラシ２０Ａを収容する収容部６０の開口部６３を覆っている。具体的には、接触抑制部５１は、正極側ブラシ２０Ａを収容する収容部６０の周方向側方であってピグテール２２が引き出されている方向とは反対側に設けられている。接触抑制部５１は、収容部６０を支持する負極側プレート５０の切り起こし孔５２の部分を切り起こすことで形成されている。なお、接触抑制部５１と収容部６０との間には、板厚１枚分程度の隙間が設けられており、この隙間は、ピグテール２２の太さＲよりも小さい方が望ましい。このように、正極側ブラシ２０Ａを収容する収容部６０の開口部６３の一部を負極側の接触抑制部５１が覆うことで、隣接する負極側ブラシ２０Ｂから延びるピグテール２２が接触抑制部５１に接触しても同じ極性になることになる。
【００３５】
また、接触抑制部５１は、ピグテール２２の太さＲよりも開口部６３の開口寸法Ｌ２が狭くなるように覆っている。また、接触抑制部５１は、開口部６３の径方向の寸法の全長を覆っている。接触抑制部４５が、ピグテール２２の太さＲよりも開口部６３の開口寸法Ｌ２が狭くなるように径方向の寸法の全長を覆うことで、ピグテール２２が開口部６３内に侵入することを抑制できる。
【００３６】
以上詳述した本実施形態によれば、以下の作用及び効果が得られる。
【００３７】
正極側ブラシ２０Ａと負極側ブラシ２０Ｂとが周方向に交互に並んでおり、それぞれのブラシ２０Ａ，２０Ｂのピグテール２２が正極側プレート４０と、負極側プレート５０とに接続されている。そして、正極側プレート４０と負極側プレート５０とがブラシ２０を軸方向に挟み込むようにして、対向する位置に配置されている。そして、正極側プレート４０及び負極側プレート５０のうち少なくともいずれかにおいて、その一部を各ブラシ２０の間となる側に折り曲げられ、かつ同じ極性のピグテール２２に周方向に並ぶように設けられている接触抑制部４５，５１を備えている。このように接触抑制部４５，５１を設けることで、ブラシ２０同士の周方向の離間距離が小さくなっても、逆極性のピグテール２２がブラシ２０に触れることを抑制することができる。
【００３８】
ピグテール２２とブラシ２０との接触を防ぐために、絶縁性の収容部６０によってブラシ２０が収容されている。そして、収容部６０を左回転と右回転のモータに共用可能なように、収容部６０の周方向の両側面部にピグテール２２を引き出し可能とする開口部６３が設けられている。このように両側面部に開口部６３が設けられて場合には、逆極性のピグテール２２が開口部６３内に侵入してブラシ２０と接触するおそれがある。
【００３９】
また、接触抑制部４５，５１は、正極側プレート４０又は負極側プレート５０の一部を曲げ加工して設けられており、どちらかの極性を有している。そして、ブラシ２０を収容する収容部６０の開口部６３のうちピグテール２２が引き出されていない方の開口部６３の外側に、接触抑制部４５，５１が開口部６３の少なくとも一部を覆うようにして設けられている。ピグテール２２と周方向に並ぶ接触抑制部４５，５１は同じ極性を有しているため、接触抑制部４５，５１とピグテール２２との接触による短絡のおそれもない。
【００４０】
例えば、正極側ブラシ２０Ａを収容する収容部６０に隣接するのは負極側ブラシ２０Ｂになる。そして、負極側ブラシ２０Ｂから引き出されたピグテール２２が正極側ブラシ２０Ａに接触するのを抑制するために、負極側プレート５０を折り曲げた接触抑制部５１が、正極側ブラシ２０Ａを収容する収容部６０の開口部６３のうちピグテール２２が引き出されていない方の開口部６３の外側にもうけられ、接触抑制部５１が開口部６３の少なくとも一部を覆っている。このようにして、開口部６３の少なくとも一部を接触抑制部４５,５１が覆うことで、逆極性のピグテール２２が開口部６３に侵入しブラシ２０に触れることを抑制することができ、また接触抑制部４５，５１とピグテール２２とが同じ極性となることで、短絡を抑制できる。
【００４１】
ピグテール２２の太さＲよりも開口部６３の開口寸法Ｌ２，Ｌ３が狭くなるようにして接触抑制部４５,５１が開口部６３に重複されて設けられていることで、逆属性のピグテール２２が開口部６３に侵入しブラシ２０に触れることをより確実に抑制することができる。
【００４２】
＜第２実施形態＞
第２実施形態においては、収容部の周方向両側に起立して当該収容部を挟む一対の起立部が設けられ、一対の起立部の内一方の起立部が接触抑制部となっている。以下、図７及び図８を参照して、詳しく説明する。図７は、第２実施形態のブラシアセンブリ３０の周方向の展開図であって、ブラシアセンブリ３０を外周側から見た図である。図８は、負極側プレート５０の平面図であって、切り起こされる前の状態での接触抑制部１５１及び規制部１５３が二点鎖線で示されている。
【００４３】
正極側プレート４０に設けられた正極側の接触抑制部１４５は、ピグテール２２の太さＲよりも開口部６３の開口寸法Ｌ２，Ｌ３が狭くなるように、負極側ブラシ２０Ｂを収容する収容部６０の開口部６３の径方向内側を覆っている。接触抑制部１４５は、延出部４６を折り曲げることで形成されており、負極側ブラシ２０Ｂを収容する収容部６０の周方向側面であって、ピグテール２２が引き出されている方向とは反対側の側面に接触している。延出部４６と接触抑制部１４５とが収容部６０の角に被さるように接触しており、嵌合凸部６２が正極側プレート４０と接触する距離も増えることから、第１実施形態に比べて、収容部６０の周方向の移動をさらに規制できる。また、接触抑制部１４５が収容部６０と接触した状態で、開口部６３の開口寸法Ｌ２，Ｌ３が狭くなるように覆っていることから、ピグテール２２がさらに開口部６３内に侵入することを抑制できる。
【００４４】
負極側プレート５０には、正極側ブラシ２０Ａを収容する収容部６０の周方向両側に起立して収容部６０を挟む一対の起立部が設けられている。一方の起立部である負極側プレート５０に設けられた負極側の接触抑制部１５１は、ピグテール２２の太さＲよりも開口部６３の開口寸法Ｌ２が狭くなるように、正極側ブラシ２０Ａを収容する収容部６０の開口部６３を覆っている。また、他方の起立部である規制部１５３は、接触抑制部１５１と共に収容部６０を挟み込むように設けられている。規制部１５３の立ち上がり寸法は、接触抑制部１５１の立ち上がり寸法よりも小さく、開口部６３の孔縁に至らない寸法となっている。つまり、規制部１５３は、開口部６３を塞がない大きさとなっている。
【００４５】
接触抑制部１５１と規制部１５３は、負極側プレート５０を切り起こすことで、形成されている。接触抑制部１５１と規制部１５３とが切り起こされた状態では、切り起こし孔１５２が形成されている。接触抑制部１５１の立ち上がり寸法（軸方向の寸法）と規制部１５３の立ち上がり寸法（軸方向の寸法）とを合わせた寸法が、収容部６０の周方向の寸法よりも小さくなっている。また、切り起こし孔１５２は、収容部６０と接する面（収容部６０に覆われる位置）に設けられており、負極側プレート５０の径方向の中心位置よりやや内側に設けられている。そのため、切り起こし孔１５２の径方向の内側と外側の両側で負極側プレート５０は収容部６０を支持している。
【００４６】
また、切り起こし孔１５２によって形成された接触抑制部１５１の径方向の寸法は、開口部６３の径方向の寸法よりも短く、開口部６３の径方向の内側に接触抑制部１５１によって覆われない部分が設けられている。接触抑制部１５１によって覆われていない部分は、ピグテール２２の太さＲよりも狭い開口幅（径方向の寸法）しか有していないことから、ピグテール２２が開口部６３内に侵入することを抑制できる。また、接触抑制部１５１と規制部１５３とが互いに周方向に離間して対向するように立ち上がっており、その間に収容部６０を挟み込むことで、収容部６０が周方向に移動するのを規制することができる。
【００４７】
負極側ブラシ２０Ｂを収容する収容部６０は、延出部４６と接触抑制部１４５とによってその正極側プレート４０と接する角に被さるように接触しており、嵌合凸部６２が正極側プレート４０と接触する距離も増えていることから、収容部６０の周方向への移動を規制できる。一方、正極側ブラシ２０Ａを収容する収容部６０は、接触抑制部１５１と規制部１５３とに挟み込まれるようにして、周方向への移動が規制できる。また、いずれの規制手段も、軸方向に延びているものであるから、予め各プレート４０,５０に各ピグテール２２を溶接しておくことができる。そのため、正極側プレート４０と収容部６０と負極側プレート５０との組み付けを簡易に行うことができる。
【００４８】
＜他の実施形態＞
本発明は、上記実施形態に限定されず、例えば以下のように実施してもよい。ちなみに、以下の別例の構成を、上記実施形態の構成に対して、個別に適用してもよく、また、任意に組み合わせて適用してもよい。
【００４９】
・接触抑制部４５，５１は、正極側プレート４０と負極側プレート５０とのいずれか一方のみに設けられていてもよい。
【００５０】
・接触抑制部４５，５１の大きさ及び形は、任意でよい。要は、少なくとも一部を覆っている状態であればよい。
【００５１】
・上記実施形態では、正極側の接触抑制部４５,１４５は負極側の接触抑制部５１，１５１よりも幅狭であったが、同じ幅であってもよいし、正極側の接触抑制部４５，１４５が負極側の接触抑制部５１，１５１よりも幅広であってもよい。
【００５２】
・上記第１実施形態では、接触抑制部４５，５１を、収容部６０から離間していたが、実施形態２と同様に、収容部６０に接触していてもよい。
【００５３】
・ブラシ２０は、箱型の収容部に収容されず、露出していてもよい。
【００５４】
・ピグテール２２を引き出した開口部６３の側方において、そのピグテール２２と同じ極性のプレートから折り曲げられた接触抑制部４５，５１に対してピグテール２２の先端部が溶接されていてもよい。この場合、接触抑制部４５，５１において、当該ピグテール２２の側となる側面に、ピグテール２２が溶接されているとよい。
【符号の説明】
【００５５】
１０…直流モータ、１２…回転子、１３…コンミュテータ、２０…ブラシ、２２…ピグテール、４０…正極側プレート、４５…接触抑制部、５０…負極側プレート、５１…接触抑制部、６０…収容部、６３…開口部、１４５…接触抑制部、１５１…接触抑制部、１５２…切り起こし孔、１５３…規制部。
【図１】
2019154096.tif 000003
【図２】
2019154096.tif 000004
【図３】
2019154096.tif 000005
【図４】
2019154096.tif 000006
【図５】
2019154096.tif 000007
【図６】
2019154096.tif 000008
【図７】
2019154096.tif 000009
【図８】
2019154096.tif 000010